(57)【要約】【課題】工具を用いることなく、容易に取り付け及び取り外しを行うことができる区画ユニットを備えたキャビネットを提供する。【解決手段】上面開口部及び前面開口部を有するキャビネット本体１０と、キャビネット本体１０の前面開口部における上半部領域及び下半部領域にそれぞれ差し込まれる引き出し２０及び蹴込み付き引き出し３０と、キャビネット本体１０の奥側下隅部の配管スペースＰＳを収納空間から区画する区画ユニット４０とから構成されている。区画ユニット４０は、左右一対の側板１１に取り付けられたダボに両端部が支持された上面区画板と、底板１３の後端部に形成された溝に下端部が嵌め込まれる前面区画板と、上面区画板の前端部と前面区画板の上端部とを連結する連結部材とから構成されており、連結部材は、上面区画板の前端部と前面区画板の上端部とがそれぞれ取り外し可能に嵌り込む嵌合溝を有している。【選択図】        図２
2010166967.tif 000002
【特許請求の範囲】
【請求項１】
左右一対の側板、背板及び底板を備え、
少なくとも、前記底板を短くすることによって、奥側の下隅部の配管スペースを開放する開口を形成すると共に、この配管スペースを前記背板及び底板に支持された区画ユニットによって、収納空間から区画するようにしたキャビネットにおいて、
前記区画ユニットが、
左右一対の前記側板に取り付けられたダボに両端部が支持された上面区画板と、
前記底板に形成された溝に下端部が嵌め込まれる前面区画板と、
前記上面区画板の前端部と前記前面区画板の上端部とを連結する連結部材とから構成されており、
前記連結部材は、前記上面区画板の前端部と前記前面区画板の上端部とがそれぞれ取り外し可能に嵌り込む嵌合溝を有していることを特徴とするキャビネット。
【請求項２】
前記連結部材は、上端部が前記嵌合溝に嵌り込んだ前記前面区画板の背面側に接触するガイド部を備えており、
前記上面区画板の前端部が前記連結部材の嵌合溝に嵌り込んだ状態で、予め接着固定されている請求項１に記載のキャビネット。
【請求項３】
左右一対の側板、背板及び底板を備え、
少なくとも、前記底板を短くすることによって、奥側の下隅部の配管スペースを開放する開口を形成すると共に、この配管スペースを前記背板及び底板に支持された区画ユニットによって、収納空間から区画するようにしたキャビネットにおいて、
前記区画ユニットが、
左右一対の前記側板に取り付けられたダボに両端部が支持された上面区画板と、
前記底板に形成された溝に下端部が嵌め込まれ、前記上面区画板の前端部が嵌り込む嵌合溝が上端部に形成された前面区画板とから構成されていることを特徴とするキャビネット。
【請求項４】
左右一対の前記側板には、前記前面区画板が前側に倒れないように、前記前面区画板の両端部前面または前記連結部材の両端部前面に当接する係止ダボが取り外し可能に取り付けられている請求項１、２または３に記載のキャビネット。
【請求項５】
左右一対の前記側板には、前記上面区画板が持ち上がらないように、前記上面区画板の両端部上面に当接する係止ダボが取り外し可能に取り付けられている請求項１、２、３または４に記載のキャビネット。
【発明の詳細な説明】
【技術分野】
【０００１】
この発明は、奥側下隅部に、給水管、排水管、ガス管等の各種配管を通す配管スペースが形成された、システムキッチン、流し台、洗面台等のキャビネットに関する。
【背景技術】
【０００２】
この種のキャビネットとしては、例えば、図７に示すようなものがある。このキャビネット５０は、台輪５１の上に配設された底板５２と、この底板５２の奥側に立設された背板５３と、底板５２の両側端に立設された左右一対の側板５４と、前面開口部を開閉する前扉５５とを備えており、このキャビネット５０の上には、カウンタ６０が架設されるようになっている。
【０００３】
また、このキャビネット５０は、背板５３の下端部と底板５２の後端部とが相互に離間するように、背板５３及び底板５２を短くすることによって、奥側の下隅部に給排水管等の各種配管Ｐを通す配管スペースＰＳを形成すると共に、図８に示すように、先端縁に沿って、ビス孔を有する取付片５６ａが突設された断面視Ｌ型の区画ユニット５６を、背板５３の下端部及び底板５２の後端部にビス止めすることによって、配管スペースＰＳを区画するようになっている。
【０００４】
【特許文献１】特開平１０−１２７３８１号公報
【特許文献２】特開平０８−０９８７２９号公報
【発明の開示】
【発明が解決しようとする課題】
【０００５】
ところで、上述したようなキャビネット５０を設置する際は、配管接続のために区画ユニット５６を取り外さなければならないが、区画ユニット５６は背板５３の下端部及び底板５２の後端部にビス止めされているので、区画ユニット５６の取り外し及び取り付けが面倒であり、ビスを紛失するおそれもある。
【０００６】
そこで、この発明の課題は、工具を用いることなく、容易に取り付け及び取り外しを行うことができる区画ユニットを備えたキャビネットを提供することにある。
【課題を解決するための手段】
【０００７】
上記の課題を解決するため、請求項１に係る発明は、左右一対の側板、背板及び底板を備え、少なくとも、前記底板を短くすることによって、奥側の下隅部の配管スペースを開放する開口を形成すると共に、この配管スペースを前記背板及び底板に支持された区画ユニットによって、収納空間から区画するようにしたキャビネットにおいて、前記区画ユニットが、左右一対の前記側板に取り付けられたダボに両端部が支持された上面区画板と、前記底板に形成された溝に下端部が嵌め込まれる前面区画板と、前記上面区画板の前端部と前記前面区画板の上端部とを連結する連結部材とから構成されており、前記連結部材は、前記上面区画板の前端部と前記前面区画板の上端部とがそれぞれ取り外し可能に嵌り込む嵌合溝を有していることを特徴とするキャビネットを提供するものである。
【０００８】
また、請求項２に係る発明は、請求項１に係る発明のキャビネットにおいて、前記連結部材は、上端部が前記嵌合溝に嵌り込んだ前記前面区画板の背面側に接触するガイド部を備えており、前記上面区画板の前端部が前記連結部材の嵌合溝に嵌り込んだ状態で、予め接着固定されていることを特徴としている。
【０００９】
また、上記の課題を解決するため、請求項３に係る発明は、左右一対の側板、背板及び底板を備え、少なくとも、前記底板を短くすることによって、奥側の下隅部の配管スペースを開放する開口を形成すると共に、この配管スペースを前記背板及び底板に支持された区画ユニットによって、収納空間から区画するようにしたキャビネットにおいて、前記区画ユニットが、左右一対の前記側板に取り付けられたダボに両端部が支持された上面区画板と、前記底板に形成された溝に下端部が嵌め込まれ、前記上面区画板の前端部が嵌り込む嵌合溝が上端部に形成された前面区画板とから構成されていることを特徴とするキャビネットを提供するものである。
【００１０】
また、請求項４に係る発明は、請求項１、２または３に係る発明のキャビネットにおいて、左右一対の前記側板には、前記前面区画板が前側に倒れないように、前記前面区画板の両端部前面または前記連結部材の両端部前面に当接する係止ダボが取り外し可能に取り付けられていることを特徴としている。
【００１１】
また、請求項５に係る発明は、請求項１、２、３または４に係る発明のキャビネットにおいて、左右一対の前記側板には、前記上面区画板が持ち上がらないように、前記上面区画板の両端部上面に当接する係止ダボが取り外し可能に取り付けられていることを特徴としている。
【発明の効果】
【００１２】
以上のように構成された請求項１に係る発明のキャビネットにおいて、区画ユニットを取り付けるには、上面区画板を左右一対の側板に取り付けられたダボに載せた状態で、上端部を連結部材の嵌合溝に嵌め込んだ前面区画板の下端部を底板に形成された溝に嵌み込みながら、上面区画板の前端部を連結部材の嵌合溝に嵌め込めばよく、逆に、区画ユニットを取り外すには、連結部材の嵌合溝に嵌め込んだ前面区画板の上端部を前側に引っ張るようにして前面区画板を前傾させながら、上面区画板の前端部を連結部材の嵌合溝から外した後、前面区画板を底板の溝から抜き取ればよいので、区画ユニットをビス止めしている従来のキャビネットに比べて、区画ユニットの付け外しを容易に行うことができる。
【００１３】
また、請求項２に係る発明のキャビネットは、連結部材が、嵌合溝に嵌り込んだ前面区画板の背面側に接触するガイド部を備えており、上面区画板の前端部が連結部材の嵌合溝に嵌り込んだ状態で、予め接着固定されているので、このキャビネットにおいて、区画ユニットを取り付けるには、前面区画板の下端部を底板に形成された溝に嵌め込み、これを手で支えながら、前面区画板の上端部を上面区画板と一体化された連結部材の嵌合溝に嵌め込んで、連結部材と一体化された上面区画板を左右一対の側板に取り付けられたダボに載せればよく、逆に、区画ユニットを取り外すには、連結部材と一体化された上面区画板を持ち上げることによって、連結部材の嵌合溝から前面区画板を抜き取った後、前面区画板を底板の溝から抜き取ればよいので、請求項１に係る発明のキャビネットと同様に、区画ユニットをビス止めしている従来のキャビネットに比べて、区画ユニットの付け外しを容易に行うことができる。
【００１４】
特に、連結部材が、嵌合溝に嵌り込んだ前面区画板の背面側に接触するガイド部を備えているので、前面区画板の上端部を上面区画板と一体化された連結部材の嵌合溝に嵌め込む際、前面区画板を連結部材のガイド部に沿わせて支持することにより、前面区画板の奥側への倒れ込みを防止することができ、連結部材の嵌合溝に対する前面区画板の嵌め込み作業を円滑かつ確実に行うことができる。
【００１５】
また、請求項３に係る発明のキャビネットにおいて、区画ユニットを取り付けるには、上面区画板を左右一対の側板に取り付けられたダボに載せた状態で、前面区画板の下端部を底板に形成された溝に嵌み込みながら、上面区画板の前端部を前面区画板の上端部に形成された嵌合溝に嵌め込めばよく、逆に、区画ユニットを取り外すには、前面区画板の上端部を前側に引っ張るようにして前面区画板を前傾させながら、上面区画板の前端部を前面区画板の嵌合溝から外した後、前面区画板を底板の溝から抜き取ればよいので、区画ユニットをビス止めしている従来のキャビネットに比べて、区画ユニットの付け外しを容易に行うことができる。
【００１６】
また、請求項４に係る発明のキャビネットは、取り付けた区画ユニットの前面区画板または連結部材が、左右一対の前記側板に取り付けられた係止ダボに当接することによって、前面区画板が前傾するのを確実に防止することができるので、区画ユニットの取付状態の安定性が向上し、輸送時に振動や衝撃等を受けても区画ユニットが外れにくいという効果が得られる。
【００１７】
また、請求項５に係る発明のキャビネットは、取り付けた区画ユニットの上面区画板が、左右一対の前記側板に取り付けられた係止ダボに当接することによって、上面区画板が持ち上がるのを確実に防止することができるので、区画ユニットの取付状態の安定性が向上し、輸送時に振動や衝撃等を受けても区画ユニットが外れにくいという効果が得られる。
【発明を実施するための最良の形態】
【００１８】
以下、実施の形態について図面を参照して説明する。図１（ａ）、（ｂ）及び図２は、システムキッチンのベースキャビネット１を示している。このベースキャビネット１は、同図に示すように、上面開口部及び前面開口部を有するキャビネット本体１０と、このキャビネット本体１０の前面開口部における上半部領域に差し込まれる引き出し２０と、キャビネット本体１０の前面開口部における下半部領域に差し込まれる蹴込み付き引き出し３０と、キャビネット本体１０の奥側下隅部の配管スペースＰＳを収納空間から区画する区画ユニット４０とから構成されており、キャビネット本体１０の上面開口部にシンクＳを有するカウンター（図示せず）が固定設置されるようになっている。なお、シンクＳの下面には、ゴミ収納器等の排水ユニットＤＵが取り付けられ、この排水ユニットＤＵに接続されたフレキシブルパイプＦＰが区画ユニット４０を貫通して配管スペースＰＳ内において、設置床から立ち上がっている排水管ＤＰに接続されるようになっている。
【００１９】
前記キャビネット本体１０は、左右一対の側板１１、１１と、この側板１１、１１を背面側で連結する背板１２と、側板１１、１１を下端部で連結する底板１３と、側板１１、１１を上部前面側で連結する戸当り桟１４と、背板１２の背面側における上端部及び下端部にそれぞれ固着された、背板１２の幅方向に延びる後桟１５、１５とを備えており、側板１１、１１は、その前端側の下端部が切り欠かれていると共に、背板１２及び底板１３を短くすることによって、奥側下隅部の配管スペースＰＳを背面側及び底面側に開放する開口が形成されている。
【００２０】
前記区画ユニット４０は、図３及び図４に示すように、左右一対の側板１１に取り付けられたダボＤに両端部が支持された上面区画板４１と、底板１３の後端部に形成された溝１３ａに下端部が嵌め込まれる前面区画板４２と、上面区画板４１の前端部と前面区画板４２の上端部とを連結するＡＢＳ樹脂等の合成樹脂によって形成された連結部材４３とから構成されており、前記連結部材４３は、上面区画板４１の前端部と前面区画板４２の上端部とがそれぞれ取り外し可能に嵌り込む嵌合溝４３ａ、４３ｂを有している。
【００２１】
また、左右一対の側板１１、１１には、前面区画板４２が前側に倒れないように、前面区画板４２の両端部前面に当接する係止ダボＳＤ１が取り外し可能に取り付けられていると共に、上面区画板４１が持ち上がらないように、上面区画板４１の両端部上面に当接する係止ダボＳＤ２が取り外し可能に取り付けられている。
【００２２】
例えば、排水ユニットＤＵに接続されたフレキシブルパイプＦＰを設置床から立ち上がっている排水管ＤＰに接続するために、キャビネット本体１０から区画ユニット４０を取り外すには、まず、図５（ａ）に示すように、左右一対の側板１１、１１に取り付けられている係止ダボＳＤ１、ＳＤ２を取り外し、同図（ｂ）に示すように、前面区画板４２を前方側に傾けながら、上面区画板４１を連結部材４３の嵌合溝４３ａから抜き取り、同図（ｃ）に示すように、上面区画板４１を持ち上げた後、前面区画板４２を底板１３の溝１３ａから抜き取って外せばよい。
【００２３】
続いて、フレキシブルパイプＦＰを設置床から立ち上がっている排水管ＤＰに接続する際は、まず、上面区画板４１における排水管ＤＰの立ち上がっている位置にフレキシブルパイプＦＰを通すための穴Ｈ（図１（ｂ）参照）を形成し、その穴ＨにフレキシブルパイプＦＰを通した後、フレキシブルパイプＦＰを排水管ＤＰに接続する。
【００２４】
そして、区画ユニット４０をキャビネット本体１０に取り付けるには、図６（ａ）に示すように、フレキシブルパイプＦＰを通した上面区画板４１を左右一対の側板１１に取り付けられたダボＤに載置した後、同図（ｂ）に示すように、前面区画板４２の上端部を連結部材４３の嵌合溝４３ｂに嵌め込み、同図（ｃ）に示すように、前面区画板４２を前方側に傾けた状態で、その下端部を底板１３の溝１３ａに嵌め込みながら、連結部材４３の嵌合溝４３ａに上面区画板４１の前端部を嵌め込み、左右一対の側板１１、１１に係止ダボＳＤ１、ＳＤ２を取り付ければよい。
【００２５】
以上のように、このベースキャビネット１では、キャビネット本体１０に対する区画ユニット４０の付け外しを、工具等を用いることなく行うことができるので、区画ユニットをビス止めしている従来のキャビネットに比べて、区画ユニット４０の付け外しを容易に行うことができる。
【００２６】
特に、このベースキャビネット１では、キャビネット本体１０の左右一対の側板１１、１１に、前面区画板４２が前傾するのを防止する係止ダボＳＤ１及び上面区画板４１の持ち上がりを防止する係止ダボＳＤ２が取り外し可能に取り付けられているので、キャビネット本体１０に対する区画ユニット４０の取付安定性が向上し、輸送時に振動や衝撃等を受けても区画ユニット４０が外れにくいという効果がある。
【００２７】
なお、上述した実施形態では、背板１２及び底板１３を短くすることによって、奥側下隅部の配管スペースＰＳを背面側及び底面側の双方に開放する開口が形成されているが、これに限定されるものではなく、少なくとも、奥側下隅部の配管スペースＰＳを底面側に開放する開口が形成されていればよい。
【００２８】
また、上述した実施形態では、前面区画板４２が係止ダボＳＤ１に当接することで、前面区画板４２が前傾するのを防止する係止ダボＳＤ１は、前面区画板４２の両端部前面に当接する位置に取り付けるようになっているが、これに限定されるものではなく、連結部材４３の両端部前面に当接する位置に取り付けることも可能である。
【００２９】
また、上述した実施形態では、上面区画板４１及び前面区画板４２を連結部材４３からそれぞれ取り外すことができるようにしているが、これに限定されるものではなく、例えば、上面区画板４１の前端部を連結部材４３の嵌合溝４３ａに嵌め込んで接着固定しておいてもよい。この場合、区画ユニット４０をキャビネット本体１０に取り付けるには、前面区画板４２の下端部を底板１３の溝１３ａに嵌め込み、これを手で支えながら、前面区画板４２の上端部を上面区画板４１と一体化された連結部材４３の嵌合溝４３ｂに嵌め込んで、連結部材４３と一体化された上面区画板４１を左右一対の側板１１、１１に取り付けられたダボＤに載せればよく、逆に、区画ユニット４０をキャビネット本体１０から取り外すには、連結部材４３と一体化された上面区画板４１を持ち上げることによって、連結部材４３の嵌合溝４３ｂから前面区画板４２を抜き取った後、前面区画板４２を底板１３の溝１３ａから抜き取ればよい。
【００３０】
特に、連結部材４３は、嵌合溝４３ｂに嵌り込んだ前面区画板４２の背面側に接触して下方側に張り出すガイド部４３ｃを備えているので、前面区画板４２の上端部を上面区画板４１と一体化された連結部材４３の嵌合溝４３ｂに嵌め込む際、前面区画板４２を連結部材４３のガイド部４３ｃに沿わせて支持することにより、前面区画板４２のキャビネット本体１０の奥側への倒れ込みを防止することができ、連結部材４３の嵌合溝４３ｂに対する前面区画板４２の嵌め込み作業を円滑かつ確実に行うことができる。
【００３１】
また、左右一対の側板１１、１１に取り付けられた手前側のダボＤが、前面区画板４２に接近した位置に配置されているので、区画ユニット４０をキャビネット本体１０に取り付けるために、下端部を底板１３の溝１３ａに嵌め込んだ前面区画板４２の上端部を、上面区画板４１と一体化された連結部材４３の嵌合溝４３ｂに嵌め込む際や、区画ユニット４０をキャビネット本体１０から取り外すために、連結部材４３と一体化された上面区画板４１を持ち上げることによって、連結部材４３の嵌合溝４３ｂから前面区画板４２を抜き取った状態で、前面区画板４２がダボＤに当接してキャビネット本体１０の奥側に倒れ込まないので、区画ユニット４０の付け外しの作業性がよい。
【００３２】
また、上述した実施形態では、区画ユニット４０の取付安定性を向上させるために係止ダボＳＤ１、ＳＤ２を取り付けているが、係止ダボＳＤ１、ＳＤ２を省略することも可能である。
【００３３】
また、上述した実施形態では、システムキッチンのベースキャビネットについて説明したが、これに限定されるものではなく、本発明は、奥側下隅部に、給水管、排水管、ガス管等の各種配管を通す配管スペースが形成された、流し台、洗面台等のキャビネットにも適用することができることは言うまでもない。
【図面の簡単な説明】
【００３４】
【図１】（ａ）はこの発明にかかるベースキャビネットの一実施形態を示す正面図、（ｂ）は同上のベースキャビネットを示す平面図である。
【図２】同上のベースキャビネットを示す断面図である。
【図３】同上のベースキャビネットにおける区画ユニットの取付状態を示す断面図である。
【図４】同上の区画ユニットを構成している連結部材を示す端面図である。
【図５】（ａ）〜（ｃ）は同上の区画ユニットの取り外し方法を説明するための説明図である。
【図６】（ａ）〜（ｃ）は同上の区画ユニットの取り付け方法を説明するための説明図である。
【図７】従来のキャビネットを示す断面図である。
【図８】同上のキャビネットに採用されている区画ユニットを示す斜視図である。
【符号の説明】
【００３５】
１  ベースキャビネット
１０  キャビネット本体
１１  側板
１２  背板
１３  底板
１３ａ  溝
１４  戸当り桟
１５  後桟
２０  引き出し
３０  蹴込み付き引き出し
４０  区画ユニット
４１  上面区画板
４２  前面区画板
４３  連結部材
４３ａ、４３ｂ  嵌合溝
４３ｃ  ガイド部
Ｄ  ダボ
ＤＵ  排水ユニット
ＤＰ  排水管
ＦＰ  フレキシブルパイプ
Ｈ  穴
Ｓ  シンク
ＳＤ１、ＳＤ２  係止ダボ
【図１】
2010166967.tif 000003
【図２】
2010166967.tif 000004
【図３】
2010166967.tif 000005
【図４】
2010166967.tif 000006
【図５】
2010166967.tif 000007
【図６】
2010166967.tif 000008
【図７】
2010166967.tif 000009
【図８】
2010166967.tif 000010